(57)【要約】【課題】携帯電話機の使用が禁止される施設への、電源がオン状態である携帯電話機の持込を容易に防止する。【解決手段】入室管理装置４０の入室許可者情報ＤＢ４０４は、施設への入室許可者の識別情報と、当該利用者の携帯電話機の電話番号と、を関連付けて記憶する。携帯電話発信部４０８は、照合端末２０に入力された識別情報が入室許可者の識別情報であると入室者照合部４０２において判定された場合に、その識別情報に関連付けて入室許可者情報ＤＢ４０４に記憶された携帯電話番号に対して電話の発信を行う。この電話の発信に応じて受信される信号に基づいて、携帯電話電源状態判定部４１０は、電話の発信の対象の携帯電話機の電源がオフ状態であるか否かを判定する。オフ状態であると判定された場合に、電気錠制御部４１６は、施設の出入口の扉を施錠する電気錠３０を開錠する制御を行う。【選択図】図１
2009238063.tif 000002
【特許請求の範囲】
【請求項１】
施設への入室の可否を決定する入室管理装置であって、
前記施設への入室を許可された利用者の識別情報と、当該利用者の携帯電話機の電話番号と、を関連付けて記憶した入室許可者情報記憶部と、
前記施設の出入口付近に設置される照合端末に入力された識別情報を当該照合端末から取得し、取得した識別情報と前記入室許可者情報記憶部に記憶された識別情報とを照合することで、前記取得した識別情報が前記施設への入室を許可された利用者の識別情報であるか否かを判定する利用者判定部と、
前記取得した識別情報が前記施設への入室を許可された利用者の識別情報であると前記利用者判定部が判定した場合に、前記取得した識別情報と関連付けて前記入室許可者情報記憶部に記憶された電話番号に対して電話の発信を行う電話発信部と、
前記電話の発信に応じて返信される信号に基づいて、前記電話の発信の対象の携帯電話機の電源がオフ状態であるか否かを判定する電源判定部と、
前記電話の発信の対象の携帯電話機の電源がオフ状態であると前記電源判定部が判定した場合に、前記照合端末に識別情報を入力した操作者の前記施設への入室を許可することを決定する決定部と、
を備えることを特徴とする入室管理装置。
【請求項２】
請求項１に記載の入室管理装置において、
前記電話の発信の対象の携帯電話機の電源がオフ状態でないと前記電源判定部が判定した場合に、前記取得した識別情報及び前記電話の発信の対象の電話番号の少なくとも一方を履歴記憶部に登録する履歴登録部、をさらに備えることを特徴とする入室管理装置。
【請求項３】
請求項２に記載の入室管理装置において、
前記履歴登録部は、さらに、前記取得した識別情報及び前記電話の発信の対象の電話番号の少なくとも一方に関連付けて、前記電話の発信の対象の携帯電話機の電源がオフ状態でないと前記電源判定部が判定した回数を前記履歴記憶部に登録することを特徴とする入室管理装置。
【請求項４】
請求項１から３のいずれか１項に記載の入室管理装置において、
前記決定部は、前記電話の発信の対象の携帯電話機の電源がオフ状態でないと前記電源判定部が判定した場合に、前記照合端末に識別情報を入力した操作者の前記施設への入室を許可しないことを決定することを特徴とする入室管理装置。
【請求項５】
施設への利用者の入室の可否を決定する入室管理プログラムであって、
前記施設の出入口付近に設置される照合端末に入力された識別情報を当該照合端末から取得する取得ステップと、
前記施設への入室を許可された利用者の識別情報と、当該利用者の携帯電話機の電話番号と、を関連付けて記憶した入室許可者情報記憶部を参照し、前記取得ステップで取得した識別情報と前記入室許可者情報記憶部に記憶された識別情報とを照合することで、前記取得した識別情報が前記施設への入室を許可された利用者の識別情報であるか否かを判定する利用者判定ステップと、
前記取得した識別情報が前記施設への入室を許可された利用者の識別情報であると前記利用者判定ステップで判定された場合に、前記取得した識別情報に関連付けて前記入室許可者情報記憶部に記憶された電話番号に対して電話の発信を行う電話発信ステップと、
前記電話の発信に応じて返信される信号に基づいて、前記電話の発信の対象の携帯電話機の電源がオフ状態であるか否かを判定する電源判定ステップと、
前記電話の発信の対象の携帯電話機の電源がオフ状態であると前記電源判定ステップにおいて判定された場合に、前記照合端末に識別情報を入力した操作者の前記施設への入室を許可することを決定する決定ステップと、
をコンピュータに実行させることを特徴とする入室管理プログラム。
【請求項６】
施設の出入口付近に設置される照合端末と、
前記施設の出入口の扉を施錠する電気錠と、
前記照合端末及び前記電気錠に接続される入室管理装置と、
を備え、
前記入室管理装置は、
前記施設への入室を許可された利用者の識別情報と、当該利用者の携帯電話機の電話番号と、を関連付けて記憶した入室許可者情報記憶部と、
前記照合端末に入力された識別情報を前記照合端末から取得し、取得した識別情報と前記入室許可者情報記憶部に記憶された識別情報とを照合することで、前記取得した識別情報が前記施設への入室を許可された利用者の識別情報であるか否かを判定する利用者判定部と、
前記取得した識別情報が前記施設への入室を許可された利用者の識別情報であると前記利用者判定部が判定した場合に、前記取得した識別情報と関連付けて前記入室許可者情報記憶部に記憶された電話番号に対して電話の発信を行う電話発信部と、
前記電話の発信に応じて返信される信号に基づいて、前記電話の発信の対象の携帯電話機の電源がオフ状態であるか否かを判定する電源判定部と、
前記電話の発信の対象の携帯電話機の電源がオフ状態であると前記電源判定部が判定した場合に、前記照合端末に識別情報を入力した操作者の前記施設への入室を許可することを決定する決定部と、
前記決定部が前記操作者の前記施設への入室を許可することを決定した場合に、前記電気錠を開錠する制御を行う制御部と、
を備えることを特徴とする入室管理システム。
【発明の詳細な説明】
【技術分野】
【０００１】
本発明は、入室管理装置、入室管理プログラム、及び入室管理システムに関する。
【背景技術】
【０００２】
ブレーカなどが設置される電気室、サーバが設置されるサーバ室、及び、医療機器が設置される手術室など、携帯電話機の発する電波の影響によって動作に異常が生じる可能性のある機器が設置される施設では、携帯電話機の電源をオフ状態にしておくか、あるいは、その施設に携帯電話機を持ち込まないことが求められる。
【０００３】
特許文献１には、電源がオン状態である携帯型情報端末装置の持ち込みが禁止されている持込禁止室への、電源オン状態の携帯型情報端末装置の持ち込みを防止するシステムが開示されている。特許文献１に記載のシステムは、電源がオン状態であり、かつ予め定められた要求電波が受信されたときに予め定められた応答電波を発信する無線通信機能を有する携帯型情報端末装置の持込禁止室への持ち込みを防止する。特許文献１に記載のシステムでは、持込禁止室に入室する際に通過する位置に電磁シールドされた前室が設けられ、この前室には、電波の送受信を行うアンテナが設けられる。特許文献１に記載のシステムにおいて、持込禁止室への入室の可否を決定する際には、上述のアンテナを用いて上述の要求電波を送信させ、その後アンテナで受信された電波が上述の応答電波であるか否かを判定し、応答電波であると判定した場合に携帯型情報端末装置の電源をオフ状態とすることを指示する報知を行う。
【０００４】
【特許文献１】特開２００６−３１１２９７号公報
【発明の開示】
【発明が解決しようとする課題】
【０００５】
携帯電話機の持ち込みが禁止される施設の出入口付近において、携帯電話機の電源がオン状態である場合に発信される電波を検出することで、施設への立ち入りを望む利用者の携帯電話機の電源がオン状態であるか否かを判定する技術では、その利用者が自己の携帯電話機の電源をオフにしていたとしても、他の者の携帯電話機の電波などを検出することで、その利用者の携帯電話機の電源がオン状態であると誤って判定してしまう場合が考えられる。
【０００６】
このような誤判定を防止するためには、例えば特許文献１に記載のシステムのように、施設の出入口付近に電磁シールドされた前室を設け、利用者の携帯電話機から発信される電波以外の電波の検出を防止する必要がある。
【０００７】
しかしながら、電磁シールドされた前室を設ける場合、その前室のための空間を施設の出入口付近に確保しなければならない。また、電磁シールドされた前室の設置には、高額の費用が必要となる場合がある。
【課題を解決するための手段】
【０００８】
本発明の１つの態様の入室管理装置は、施設への入室の可否を決定する入室管理装置であって、前記施設への入室を許可された利用者の識別情報と、当該利用者の携帯電話機の電話番号と、を関連付けて記憶した入室許可者情報記憶部と、前記施設の出入口付近に設置される照合端末に入力された識別情報を当該照合端末から取得し、取得した識別情報と前記入室許可者情報記憶部に記憶された識別情報とを照合することで、前記取得した識別情報が前記施設への入室を許可された利用者の識別情報であるか否かを判定する利用者判定部と、前記取得した識別情報が前記施設への入室を許可された利用者の識別情報であると前記利用者判定部が判定した場合に、前記取得した識別情報と関連付けて前記入室許可者情報記憶部に記憶された電話番号に対して電話の発信を行う電話発信部と、前記電話の発信に応じて返信される信号に基づいて、前記電話の発信の対象の携帯電話機の電源がオフ状態であるか否かを判定する電源判定部と、前記電話の発信の対象の携帯電話機の電源がオフ状態であると前記電源判定部が判定した場合に、前記照合端末に識別情報を入力した操作者の前記施設への入室を許可することを決定する決定部と、を備えることを特徴とする。
【０００９】
なお、本発明の各態様において、「携帯電話機」の用語は、ＰＨＳ（Personal Handy-phone System）を含むものであるとする。
【００１０】
本発明の１つの態様の入室管理装置は、前記電話の発信の対象の携帯電話機の電源がオフ状態でないと前記電源判定部が判定した場合に、前記取得した識別情報及び前記電話の発信の対象の電話番号の少なくとも一方を履歴記憶部に登録する履歴登録部、をさらに備える。
【００１１】
本発明の１つの態様の入室管理装置において、前記履歴登録部は、さらに、前記取得した識別情報及び前記電話の発信の対象の電話番号の少なくとも一方に関連付けて、前記電話の発信の対象の携帯電話機の電源がオフ状態でないと前記電源判定部が判定した回数を前記履歴記憶部に登録する。
【００１２】
本発明の１つの態様の入室管理装置において、前記決定部は、前記電話の発信の対象の携帯電話機の電源がオフ状態でないと前記電源判定部が判定した場合に、前記照合端末に識別情報を入力した操作者の前記施設への入室を許可しないことを決定する。
【００１３】
本発明の１つの態様の入室管理プログラムは、施設への利用者の入室の可否を決定する入室管理プログラムであって、前記施設の出入口付近に設置される照合端末に入力された識別情報を当該照合端末から取得する取得ステップと、前記施設への入室を許可された利用者の識別情報と、当該利用者の携帯電話機の電話番号と、を関連付けて記憶した入室許可者情報記憶部を参照し、前記取得ステップで取得した識別情報と前記入室許可者情報記憶部に記憶された識別情報とを照合することで、前記取得した識別情報が前記施設への入室を許可された利用者の識別情報であるか否かを判定する利用者判定ステップと、前記取得した識別情報が前記施設への入室を許可された利用者の識別情報であると前記利用者判定ステップで判定された場合に、前記取得した識別情報に関連付けて前記入室許可者情報記憶部に記憶された電話番号に対して電話の発信を行う電話発信ステップと、前記電話の発信に応じて返信される信号に基づいて、前記電話の発信の対象の携帯電話機の電源がオフ状態であるか否かを判定する電源判定ステップと、前記電話の発信の対象の携帯電話機の電源がオフ状態であると前記電源判定ステップにおいて判定された場合に、前記照合端末に識別情報を入力した操作者の前記施設への入室を許可することを決定する決定ステップと、をコンピュータに実行させることを特徴とする。
【００１４】
本発明の１つの態様の入室管理システムは、施設の出入口付近に設置される照合端末と、前記施設の出入口の扉を施錠する電気錠と、前記照合端末及び前記電気錠に接続される入室管理装置と、を備え、前記入室管理装置は、前記施設への入室を許可された利用者の識別情報と、当該利用者の携帯電話機の電話番号と、を関連付けて記憶した入室許可者情報記憶部と、前記照合端末に入力された識別情報を前記照合端末から取得し、取得した識別情報と前記入室許可者情報記憶部に記憶された識別情報とを照合することで、前記取得した識別情報が前記施設への入室を許可された利用者の識別情報であるか否かを判定する利用者判定部と、前記取得した識別情報が前記施設への入室を許可された利用者の識別情報であると前記利用者判定部が判定した場合に、前記取得した識別情報と関連付けて前記入室許可者情報記憶部に記憶された電話番号に対して電話の発信を行う電話発信部と、前記電話の発信に応じて返信される信号に基づいて、前記電話の発信の対象の携帯電話機の電源がオフ状態であるか否かを判定する電源判定部と、前記電話の発信の対象の携帯電話機の電源がオフ状態であると前記電源判定部が判定した場合に、前記照合端末に識別情報を入力した操作者の前記施設への入室を許可することを決定する決定部と、前記決定部が前記操作者の前記施設への入室を許可することを決定した場合に、前記電気錠を開錠する制御を行う制御部と、を備えることを特徴とする。
【発明の効果】
【００１５】
本発明によると、携帯電話機の使用が禁止される施設への、電源がオン状態である携帯電話機の持ち込みを容易に防止できる。
【発明を実施するための最良の形態】
【００１６】
図１は、本発明の１つの実施形態の入室管理システムの構成例を示す図である。入室管理システム１０は、照合端末２０、電気錠３０、及び入室管理装置４０を備える。照合端末２０と入室管理装置４０とは、例えばＬＡＮ（Local Area Network）などの通信手段を介して互いに接続される。また、電気錠３０は、入室管理装置４０と電気的に接続され、入室管理装置４０は、電気錠３０の施錠又は開錠を制御する。
【００１７】
照合端末２０は、入力部２０２及び表示部２０４を備え、マイクロコンピュータなどによって実現される端末装置である。照合端末２０は、電源がオン状態である携帯電話機の持ち込みが禁止されている施設の出入口付近に設置される。
【００１８】
照合端末２０は、例えば、図２に示すように、施設１の外側であって施設１の出入口の扉３の付近に設置される。施設１は、例えば電気室やサーバ室など、電源がオン状態である携帯電話機の持ち込みが禁止されている施設である。施設１の出入口の扉３は、通常時は電気錠３０（図２には図示しない）によって施錠される。照合端末２０の操作者５は、後述する利用者ＩＤなどの情報を入力し、この入力に基づいて、操作者５の施設１への立ち入り（入室）の可否が決定される。
【００１９】
再び図１を参照し、照合端末２０の入力部２０２は、操作者による情報の入力を受け付けて、入力された情報を入室管理装置４０に対して送信する。入力部２０２は、例えば、数字及び文字などの入力に用いられる一般的なキーパッド、又は、接触を検知して入力を受け付けるタッチパネルであってよい。あるいは、バーコードリーダ又はＩＣタグリーダなどのような、電気的、電磁気的、又は光学的に読み取り可能な符号を読み取る読取装置によって入力部２０２を実現してもよい。
【００２０】
照合端末２０の表示部２０４は、例えば操作者に対するメッセージや電気錠３０の施錠／開錠状態など、システム上の要請に応じた情報を表示する。表示部２０４は、例えば、液晶などを用いた一般的な表示装置であってよい。
【００２１】
電気錠３０は、施設１の出入口の扉３を施錠する鍵であり、外部装置からの制御信号によって施錠又は開錠することが可能な鍵である。
【００２２】
入室管理装置４０は、操作者が照合端末２０に入力した情報に基づいて、当該操作者の施設への入室の可否を決定する。入室管理装置４０は、入室者照合部４０２、入室許可者情報ＤＢ（データベース）４０４、入室許可者情報登録部４０６、携帯電話発信部４０８、携帯電話電源状態判定部４１０、履歴登録部４１２、切り忘れ履歴ＤＢ４１４、及び電気錠制御部４１６を備える。
【００２３】
入室者照合部４０２は、照合端末２０から取得した情報と、入室許可者情報ＤＢ４０４に登録された情報と、を照合し、操作者によって照合端末２０に入力された情報が入室を許可された利用者の識別情報であるか否かを判定する。
【００２４】
入室許可者情報ＤＢ４０４は、施設への入室を許可された利用者（以下、「入室許可者」とも呼ぶ）の識別情報と、その利用者の携帯電話番号と、を関連付けて記憶するデータベースである。図３に、入室許可者情報ＤＢ４０４に記憶されるデータ内容の一例を示す。
【００２５】
図３を参照し、図３の例の表の１行（１レコード）の情報は、１人の入室許可者の情報に対応する。図３の例の入室許可者情報ＤＢ４０４には、各入室許可者の利用者ＩＤに関連付けて、「氏名」及び「携帯電話番号」の各項目の値が登録される。利用者ＩＤは、各入室許可者を識別するための識別情報であって、入室管理システム１０内で一意な識別情報である。利用者ＩＤは、例えば、文字又は数字を含む文字列であってよい。あるいは、利用者ＩＤは、例えば、入室許可者の指紋情報などの生体情報であってもよい。入室管理システム１０で用いられる認証方式に応じた態様の利用者ＩＤを登録しておけばよい。なお、入室許可者情報ＤＢ４０４に登録される各項目のうち、利用者ＩＤ及び携帯電話番号以外の項目は、図３の例の項目に限られない。入室管理システム１０の管理目的上の必要に応じた項目を登録すればよい。例えば、各利用者ＩＤに関連付けて、その入室許可者のパスワードを登録してもよい。
【００２６】
入室許可者情報登録部４０６は、入室許可者情報ＤＢ４０４への情報の登録を行う。入室許可者情報登録部４０６は、例えば、入室許可者に関する情報についての入室管理システム１０の管理者などによる入力を受け付けて、入力された情報を入室許可者情報ＤＢ４０４に登録する。例えば、施設の利用を希望する利用者は、自己の携帯電話機の携帯電話番号を入室管理システム１０の管理者に知らせると共に、施設の利用の許可を求める申請を行う。当該申請を行った利用者に対して施設の利用が許可される場合、当該利用者の利用者ＩＤ、当該利用者の携帯電話番号、及びその他システムの必要に応じた当該利用者の情報が入室許可者情報登録部４０６に入力される。入室許可者情報登録部４０６は、入力された情報に従って、当該利用者に対応するレコードを生成して入室許可者情報ＤＢ４０４に登録する。
【００２７】
携帯電話発信部４０８は、照合端末２０に操作者が入力した情報が入室許可者の利用者ＩＤであると入室者照合部４０２が判定した場合に、その利用者ＩＤと関連付けられる携帯電話番号を入室許可者情報ＤＢ４０４から取得し、取得した携帯電話番号に対して電話の発信を行う。
【００２８】
携帯電話電源状態判定部４１０は、携帯電話発信部４０８が行った電話の発信に応じて受信される電波に基づいて、電話の発信の対象の携帯電話機ｍの電源がオフ状態であるかオン状態であるかを判定する。携帯電話電源状態判定部４１０は、例えば、携帯電話機ｍを呼び出し中である旨を表す電波又は携帯電話機ｍが通話中である旨を表す電波を受信した場合に、携帯電話機ｍの電源はオン状態であると判定し、携帯電話機ｍの位置を特定できない旨を表す電波を受信した場合に、携帯電話機ｍの電源はオフ状態であると判定する。
【００２９】
履歴登録部４１２は、携帯電話電源状態判定部４１０において電源がオン状態であると判定された携帯電話機ｍに関する情報を切り忘れ履歴ＤＢ４１４に登録する。
【００３０】
切り忘れ履歴ＤＢ４１４は、携帯電話電源状態判定部４１０において電源がオン状態であると判定された携帯電話機ｍに関する情報を記憶するデータベースである。図４に、切り忘れ履歴ＤＢ４１４に登録されるデータ内容の一例を示す。
【００３１】
図４を参照し、切り忘れ履歴ＤＢ４１４には、各携帯電話番号に関連付けて、「利用者ＩＤ」及び「切り忘れ回数」の各項目が登録される。図４の例の表の携帯電話番号は、携帯電話電源状態判定部４１０において電源がオン状態であると判定された携帯電話機の電話番号である。利用者ＩＤの項目には、対応する携帯電話番号を有する携帯電話機の利用者の利用者ＩＤが登録される。つまり、入室許可者情報ＤＢ４０４において当該携帯電話番号に関連付けて登録されている利用者ＩＤが登録されることになる。切り忘れ回数の項目には、対応する携帯電話番号の携帯電話機の電源がオン状態であると携帯電話電源状態判定部４１０において判定された回数が登録される。なお、切り忘れ履歴ＤＢ４１４には、携帯電話番号及び利用者ＩＤの少なくとも一方を登録しておけば、他の項目は登録しなくてもよい。あるいは、図４に例示する項目以外の項目を切り忘れ履歴ＤＢ４１４にさらに登録してもよい。例えば、各携帯電話番号に関連付けて、その携帯電話番号の携帯電話機について電源がオン状態であると判定された日時を登録しておいてもよい。電源がオン状態であると判定された日時を登録する例では、電源がオン状態であると判定された回数が複数回である場合、その携帯電話番号に関連付けて複数の日時を登録しておいてもよいし、あるいは、それら複数の日時のうち最新のものだけを登録しておいてもよい。
【００３２】
電気錠制御部４１６は、携帯電話電源状態判定部４１０において携帯電話機の電源がオフ状態であると判定された場合に、電気錠３０を開錠する制御を行う。携帯電話機の電源がオフ状態であると判定された場合、電気錠制御部４１６は、例えば、電気錠３０に対して開錠を指示する制御信号を出力し、この制御信号を電気錠３０が受け取ることで、電気錠３０は開錠される。また、電気錠制御部４１６は、電気錠３０を施錠する制御を行う場合もある。電気錠３０を施錠する制御を行う場合、電気錠制御部４１６は、例えば、電気錠３０に対して施錠を指示する制御信号を出力し、この制御信号を電気錠３０が受け取ることで、電気錠３０は施錠される。
【００３３】
なお、電気錠制御部４１６の機能の一部を照合端末２０に実現しても良い。例えば、入室管理装置４０は、照合端末２０に対して、電気錠３０の開錠又は施錠を指示する信号を送信し、この指示信号を受けた照合端末２０が電気錠３０に対して開錠又は施錠を指示する制御信号を出力してもよい。
【００３４】
入室管理システム１０の管理対象の施設１への入室を希望する利用者は、照合端末２０の入力部２０２に対して、入室許可者情報ＤＢ４０４に登録される利用者ＩＤの態様に応じた態様の識別情報を自己の利用者ＩＤとして入力する。例えば、利用者ＩＤが文字列であれば、利用者は、照合端末２０の入力部２０２に自己の利用者ＩＤを表す文字列を入力する。また例えば、利用者ＩＤが指紋情報であれば、利用者は、照合端末２０の入力部２０２に自己の指紋を読み取らせる。また、照合端末２０の入力部２０２は、入室許可者情報ＤＢ４０４に登録される利用者ＩＤの態様の識別情報の入力を受け付けるのに適した装置を用いて実現される。例えば、各入室許可者が自己の利用者ＩＤを含むＩＣチップを備えたＩＣカードを所持する場合、照合端末２０の入力部２０２は、ＩＣチップに含まれる情報を読み取り可能なＩＣカードリーダによって実現される。また例えば、利用者ＩＤが指紋情報であれば、照合端末２０の入力部２０２は、指紋認証用の一般的な指紋読み取り装置によって実現される。
【００３５】
以下、図５を参照し、入室管理装置４０が行う処理の手順の例を説明する。
【００３６】
入室管理装置４０は、照合端末２０において操作者による入力を受け付けた旨を表す信号を照合端末２０から受信した場合に、図５の例の手順の処理を開始する。
【００３７】
まず、入室者照合部４０２は、照合端末２０が受け付けた入力情報を取得する（ステップＳ１０）。この入力情報には、照合端末２０に対して入力を行った操作者の利用者ＩＤが含まれる。
【００３８】
次に、入室者照合部４０２は、入室許可者情報ＤＢ４０４内に登録された利用者ＩＤと、（ステップＳ１０で取得した入力情報に含まれる）照合端末２０の操作者の利用者ＩＤと、を照合することで、照合端末２０の操作者の利用者ＩＤが入室許可者の利用者ＩＤであるか否かを判定する（ステップＳ１２）。
【００３９】
照合端末２０の操作者の利用者ＩＤが入室許可者の利用者ＩＤであれば、処理はステップＳ１２からステップＳ１４に進み、携帯電話発信部４０８は、その入室許可者の利用者ＩＤに関連付けて入室許可者情報ＤＢ４０４に登録された携帯電話番号を取得し、その携帯電話番号に対して電話の発信を行う。なお、ステップＳ１４で電話の発信の対象となる携帯電話機は、照合端末２０の操作者が所持している携帯電話機であるとみなされる。
【００４０】
ステップＳ１４の後、携帯電話電源状態判定部４１０は、携帯電話発信部４０８による電話発信に応じて返信される電波を受信し、受信した電波に基づいて、対象の携帯電話機の電源がオフ状態であるか否かを判定する（ステップＳ１６）。例えば、対象の携帯電話機を呼び出し中である旨を表す電波又は対象の携帯電話機が通話中である旨を表す電波を受信した場合、携帯電話電源状態判定部４１０は、対象の携帯電話機の電源はオン状態であると判定する。また例えば、対象の携帯電話機の位置を特定できない旨を表す電波を受信した場合、携帯電話電源状態判定部４１０は、対象の携帯電話機の電源はオフ状態であると判定する。
【００４１】
オフ状態であれば、電気錠制御部４１６は、照合端末２０の操作者の施設への入室を許可することを決定し（ステップＳ２４）、電気錠３０を開錠する制御を行う（ステップＳ２６）。
【００４２】
携帯電話の電源がオフ状態でなければ、履歴登録部４１２は、電話発信の対象の携帯電話機に関する情報を切り忘れ履歴ＤＢ４１４に登録する（ステップＳ１８）。例えば、図４の例のデータ内容を有する切り忘れ履歴ＤＢ４１４に情報を登録する場合、履歴登録部４１２は、対象の携帯電話番号に対応するレコードが切り忘れ履歴ＤＢ４１４にすでに登録されていれば、当該携帯電話番号のレコードにおける切り忘れ回数の項目の値を１だけ増加させる。対象の携帯電話番号に対応するレコードが切り忘れ履歴ＤＢ４１４に未だ登録されていなければ、履歴登録部４１２は、切り忘れ履歴ＤＢ４１４において、その携帯電話番号を含むレコードを新たに生成し、利用者ＩＤの項目に照合端末２０の操作者の利用者ＩＤを設定し、当該レコードの切り忘れ回数の値を「１」に設定する。
【００４３】
ステップＳ１８の後、携帯電話電源状態判定部４１０は、ステップＳ１４の電話発信に応じて受信される電波に基づいて、予め設定された所定時間（例えば、１〜３分の間の値に設定しておく）内に対象の携帯電話機の電源がオフ状態となったか否かを判定する（ステップＳ２０）。
【００４４】
所定時間内に携帯電話機の電源がオフ状態になったと判定されると、電気錠制御部４１６は、照合端末２０の操作者の施設への入室を許可することを決定し、電気錠３０を開錠する制御を行う（ステップＳ２０，Ｓ２４，Ｓ２６）。
【００４５】
照合端末２０の操作者の利用者ＩＤが入室許可者の利用者ＩＤでないと判定された場合（ステップＳ１２でＮＯ）、又は、ステップＳ２０で所定時間内に携帯電話機の電源がオフ状態にならなかったと判定された場合、電気錠制御部４１６は、照合端末２０の操作者の施設への入室を許可しないことを決定する（ステップＳ２２）。この場合、電気錠制御部４１６は、電気錠３０を開錠する制御を行わないので、電気錠３０は施錠されたままの状態となり、照合端末２０の操作者は施設へ入室できない。
【００４６】
ステップＳ２６又はステップＳ２２の後、入室管理装置４０は、図５に例示する手順の処理を終了する。
【００４７】
以上、図５を参照して説明した例の処理によると、照合端末２０に入力された操作者の利用者ＩＤが入室許可者情報ＤＢ４０４に登録された入室許可者の利用者ＩＤであると判定され（ステップＳ１２でＹＥＳ）、かつ、その利用者ＩＤに関連付けて入室許可者情報ＤＢ４０４に登録された携帯電話番号を有する携帯電話機（つまり、照合端末２０の操作者が所持している可能性の高い携帯電話機）の電源がオフ状態であると判定された（ステップＳ１６でＹＥＳ又はステップＳ２０でＹＥＳ）場合にのみ、照合端末２０の操作者の施設への入室が許可される（ステップＳ２４）。照合端末２０の操作者の利用者ＩＤが入室許可者情報ＤＢ４０４に入室許可者の利用者ＩＤとして登録されていない場合（ステップＳ１２でＮＯ）は、操作者の施設への入室は許可されない（ステップＳ２２）。また、操作者の利用者ＩＤが入室許可者の利用者ＩＤであっても、その携帯電話機の電源がオフ状態でないと判定された場合（ステップＳ１６でＮＯ）、その後所定時間内に携帯電話機の電源がオフ状態になったと判定されない限りは、操作者の施設への入室は許可されない（ステップＳ２０でＮＯ，ステップＳ２２）。
【００４８】
図５のステップＳ２４，Ｓ２６において施設への入室を許可して電気錠３０を開錠する制御を行い、図５に例示する手順の処理を終了した後、入室管理装置４０の電気錠制御部４１６は、例えば、所定の時間が経過したときに、再び電気錠３０を施錠する制御を行う。また例えば、電気錠制御部４１６は、図５の例の処理の終了から所定の時間経過後に電気錠３０を施錠する制御を行う代わりに、扉の開閉を検出するセンサ（図示しない）からの出力信号に基づいて、電気錠３０を施錠する制御を行ってもよい。例えば、入室を許可して電気錠３０を開錠する制御を行った後、扉が開いたことを表す検出信号をセンサから受信し、さらにその後、扉が閉じたことを表す検出信号をセンサから受信した場合に、電気錠３０を施錠する制御を行う。また、扉の開閉を検出するセンサからの出力信号を利用した制御を行う場合、入室管理装置４０は、所定の時間以上、扉が開いていることを表す検出信号を受信した場合に、警告情報を出力してもよい。
【００４９】
図５を参照して説明した上述の処理の例において、照合端末２０の操作者の携帯電話機の電源がオン状態であると判定された場合（ステップＳ１６でＮＯ）に、入室管理装置４０は、その携帯電話機に関する情報を切り忘れ履歴ＤＢ４１４に登録する（ステップＳ１８）と共に、携帯電話機の電源をオフ状態にすることを操作者に促す警告情報を照合端末２０の表示部２０４に表示させる処理を行ってもよい。この場合、入室管理装置４０は、前述の警告情報及び警告情報の表示を指示する情報を照合端末２０に対して送信する。
【００５０】
なお、以上の説明では、入室者の照合処理（図５のステップＳ１２）で、照合端末２０の操作者の利用者ＩＤが入室許可者の利用者ＩＤであるか否かによって操作者の認証を行う。他の例では、利用者ＩＤとパスワード（又は暗証番号）との組み合わせを用いて操作者の認証を行ってもよい。例えば、入室許可者情報ＤＢ４０４において、各入室許可者の利用者ＩＤに関連付けて、その入室許可者のパスワードを登録しておき、照合端末２０に入力された利用者ＩＤ及びパスワードの組が入室許可者情報ＤＢ４０４に登録されているか否かによってステップＳ１２の判定を行う。また例えば、すべての入室許可者に共通のパスワードを設定しておき、照合端末２０において、入室許可者の利用者ＩＤとともに当該パスワードが入力された場合に、ステップＳ１２でＹＥＳと判定するものとしてもよい。
【００５１】
以上で説明した実施形態によると、照合端末２０の操作者の携帯電話機の電源がオン状態である場合に、その携帯電話機の着信を表す呼び出し音又はその携帯電話機のバイブレータ機能による振動などによって、操作者の携帯電話の電源がオン状態であることが操作者に報知される。照合端末２０の操作者にとっては、自己の携帯電話機の電源がオン状態であるまま施設への入室を試みた場合に、自己の携帯電話機に着信を受けることになる。また、操作者の携帯電話機がオフ状態であれば、その携帯電話機と入室管理装置４０との間で通話が開始されることはないので、入室管理装置４０からの電話発信時に通話料金が発生することはない。
【００５２】
また、以上で説明した実施形態によると、入室管理システム１０の管理者は、切り忘れ履歴ＤＢ４１４に登録された情報を参照することで、施設への入室可否決定時に頻繁に携帯電話機の電源を切り忘れている入室許可者を特定することができる。入室管理システム１０の管理者は、例えば、このような入室許可者に対して注意喚起することができる。
【００５３】
また、以上で説明した実施形態によると、携帯電話機への通常の電話発信によって携帯電話機の電源のオン状態又はオフ状態が判定される。よって、例えば、図２の例の施設１の出入口付近の領域７（例えば、廊下など）は、携帯電話の受信が可能な領域であればよい。したがって、以上で説明した実施形態の入室管理システム１０によると、携帯電話機の使用が禁止される施設の出入口付近に電磁シールドなどを設けることなく、電源がオン状態である携帯電話機の当該施設への持ち込みを防止できる。
【００５４】
以上で説明した実施形態の入室管理装置４０は、典型的には、汎用のコンピュータにて上述の入室管理装置４０の各部の機能又は処理内容を記述したプログラムを実行することにより実現される。コンピュータは、例えば、ハードウエアとして、図６に示すように、ＣＰＵ（中央演算装置）６０、メモリ（一次記憶）６２、各種Ｉ／Ｏ（入出力）インタフェース６４などがバス６６を介して接続された回路構成を有する。また、そのバス６６に対し、例えばＩ／Ｏインタフェース６４経由で、キーボードやマウスなどの入力装置６８、及び、ＣＲＴ（Cathode Ray Tube）や液晶ディスプレイなどの表示装置７０が接続される。また、バス６６には、Ｉ／Ｏインタフェース６４を介して、ＨＤＤ（ハードディスクドライブ）７２や、ＣＤ、ＤＶＤ、フラッシュメモリなどの各種規格の可搬型の不揮発性記録媒体を読み取るためのディスクドライブ７４が接続される。このようなドライブ７２，７４は、メモリに対する外部記憶装置として機能する。実施形態の処理内容が記述されたプログラムがＣＤやＤＶＤなどの記録媒体を経由して、又はネットワーク経由で、ＨＤＤ７２などの固定記憶装置に保存され、コンピュータにインストールされる。固定記憶装置に記憶されたプログラムがメモリ６２に読み出されＣＰＵ６０により実行されることにより、上述の実施形態の処理が実現される。
【図面の簡単な説明】
【００５５】
【図１】本発明の１つの実施形態の入室管理システムの構成例を示す図である。
【図２】照合端末の設置位置の例を説明するための図である。
【図３】入室許可者情報ＤＢのデータ内容の一例を示す図である。
【図４】切り忘れ履歴ＤＢのデータ内容の一例を示す図である。
【図５】入室管理装置が行う処理の手順の一例を示すフローチャートである。
【図６】コンピュータのハードウエア構成を示す図である。
【符号の説明】
【００５６】
１０  入室管理システム、２０  照合端末、３０  電気錠、４０  入室管理装置、６０  ＣＰＵ、６２  メモリ、６４  Ｉ／Ｏインタフェース、６６  バス、６８  入力装置、７０  表示装置、７２  ＨＤＤ、７４  ディスクドライブ、２０２  入力部、２０４  表示部、４０２  入室者照合部、４０４  入室許可者情報ＤＢ、４０６  入室許可者情報登録部、４０８  携帯電話発信部、４１０  携帯電話電源状態判定部、４１２  履歴登録部、４１４  切り忘れ履歴ＤＢ、４１６  電気錠制御部。
【図１】
2009238063.tif 000003
【図２】
2009238063.tif 000004
【図３】
2009238063.tif 000005
【図４】
2009238063.tif 000006
【図５】
2009238063.tif 000007
【図６】
2009238063.tif 000008